(57)【要約】      （修正有）【課題】内袋に模様を配し、外袋を不織布シートにて構成し、内袋の模様が外袋を介して目視できるようにした二重袋型包装袋を提供する。【解決手段】不織布を使用した二重袋型包装袋Ａは、上方に開口部１ａを有し、両側部３、４及び底部２が閉塞してなる内袋１０と外袋１５とからなり、内袋１０は、ポリプロピレンフィルムの表裏のいずれか一方に模様が配された模様シート、又は、ポリプロピレンフィルムに模様を配する。そのフィルムにポリエチレンフィルムをラミネートした模様シートにより形成し、外袋１５は、ポリプロピレン製で光透過性の不織布よりなる不織布シートより形成し、内袋１０と外袋１５の両側部３、４のそれぞれの端部を重ね合わして溶着して構成する。【選択図】図１
0003148039.tif 000002
【実用新案登録請求の範囲】
【請求項１】
上方に開口部を有し、両側部及び底部が閉塞してなる内袋と外袋とからなり、
内袋は、ポリプロピレンフィルムの表裏のいずれか一方に模様が配された模様シートより形成され、
外袋は、ポリプロピレン製で光透過性の不織布よりなる不織布シートにより形成され、
内袋と外袋の両側部がそれぞれの端部を重ね合わして溶着されてなる、
ことを特徴とする不織布を使用した二重袋型包装袋。
【請求項２】
上方に開口部を有し、両側部及び底部が閉塞してなる内袋と外袋とからなり、
内袋は、ポリプロピレンフィルムに模様が配された模様シート、又は、ポリプロピレンフィルムに模様が配され、そのフィルムにポリエチレンフィルムをラミネートした模様シートより形成され、
外袋は、ポリプロピレン製で光透過性の不織布よりなる不織布シートよりに形成され、
内袋と外袋の両側部がそれぞれの端部を重ね合わして溶着されてなる、
ことを特徴とする不織布を使用した二重袋型包装袋。
【請求項３】
不織布の厚みが１０ｇ／ｍ２〜２５ｇ／ｍ２であることを特徴とする請求項１又は２に記載の不織布を使用した二重袋型包装袋。
【請求項４】
ポリプロピレンフィルムの厚みが１５μｍ〜５０μｍであることを特徴とする請求項１〜３のいずれか１項に記載の不織布を使用した二重袋型包装袋。
【請求項５】
内袋を形成する模様シートに高彩度の色彩の模様を配し、不織布シートを介して模様が明確に目視できるようにしたことを特徴とする請求項１〜４のいずれか１項に記載の不織布を使用した二重袋型包装袋。
【請求項６】
内袋及び外袋の各底部に襠を有することを特徴とする請求項１〜５のいずれかに記載の不織布を使用した二重袋型包装袋。
【請求項７】
開口部より幾分下がった位置に、所定間隔をあけて幅方向に２本平行に配され、かつ、内袋の外面と外袋の内面とを接着してなる接着線と、２本の接着線の間における両側部の一部を欠落させてなる側部開口部とからなり、２本の接着線の間における表裏の内袋と外袋との各隙間をそれぞれ紐挿通路とする紐挿通部が形成されてなることを特徴とする請求項１〜６のいずれか１項に記載の不織布を使用した二重袋型包装袋。
【請求項８】
紐挿通部において、一方の側部開口部から表側の紐挿通路を経て他方の側部開口部にて折返し、裏側の紐挿通路を経て前記一方の側部開口部の外部に達する第１紐と、前記他方の側部開口部から表側の紐挿通路を経て前記一方の側部開口部にて折返し、裏側の紐挿通路を経て前記他方の側部開口部の外部に達する第２紐とを有することを特徴とする請求項７に記載の不織布を使用した二重袋型包装袋。
【考案の詳細な説明】
【技術分野】
【０００１】
本考案は、二重袋に関し、特に、外袋が不織布製であって、内袋の模様が外袋を介して目視できるように構成した不織布を使用した二重袋型包装袋に関する。
【背景技術】
【０００２】
従来より合成樹脂シートよりなる二重袋型包装袋が使用されている。
【考案の開示】
【考案が解決しようとする課題】
【０００３】
しかしながら、外袋を不織布シートにて構成した二重袋型包装袋は存在しない。
【０００４】
そこで、本考案者は、内袋に模様を配し、外袋を不織布シートにて構成し、内袋の模様が外袋を介して目視できるようにした二重袋型包装袋を考案した。
【課題を解決するための手段】
【０００５】
本考案に係る不織布を使用した二重袋型包装袋は、上方に開口部を有し、両側部及び底部が閉塞してなる内袋と外袋とからなり、内袋は、ポリプロピレンフィルムの表裏のいずれか一方に模様が配された模様シート、又は、ポリプロピレンフィルムに模様が配され、そのフィルムにポリエチレンフィルムをラミネートした模様シートにより形成され、外袋は、ポリプロピレン製で光透過性の不織布よりなる不織布シートより形成され、内袋と外袋の両側部がそれぞれの端部を重ね合わして溶着されてなることを特徴とするものである。
【０００６】
このように構成することにより、内袋と外袋が１回の溶着作業で両側部が溶着された一体成型の二重袋が完成し、内袋を構成する模様シートの模様が光透過性の不織布シートよりなる外袋を介して目視できるようになる。しかも、内袋を構成するポリプロピレンフィルム又はポリプロピレンフィルムにポリエチレンフィルムをラミネートしたシートに配した光沢があり硬質の模様が不織布シートを介することにより、独特なふんわりとした模様に変化して現出する。また、外袋を不織布シートにより構成したことにより、不織布独特の柔らかみのある手触り感がある。また、外袋は不織布シートにて構成されていても、内袋はポリプロピレンフィルム又はポリプロピレンフィルムにポリエチレンフィルムをラミネートしたシートであるから、防水性及び耐水性がある。また、二重袋にて構成しているので、包装袋としての強度が増している。
【０００７】
また、上記の構成に加え、不織布の厚みが１０ｇ／ｍ２〜２５ｇ／ｍ２の範囲に構成してもよい。このように構成すれば、望ましい光透過性が得られ、不織布の厚みが１０ｇ／ｍ２未満であると、薄すぎて強度が低下すると共に内袋の模様が現出しすぎて、独特なふんわり感が低下する。逆に２５ｇ／ｍ２を超えると光透過性が低下するので、内袋の模様が現出しなくなる。
【０００８】
さらに、上記の構成に加え、ポリプロピレンフィルムの厚みが１５μｍ〜５０μｍの範囲に構成してもよい。このように構成すれば、包装袋としての適度の強度が得られる。ポリプロピレンフィルムの厚みが１５μｍ未満であると、包装袋としての強度が低下し、５０μｍを超えるとごわごわした感触となる。
【０００９】
さらにまた、上記の構成に加え、内袋を形成する模様シートに高彩度の色彩の模様を配し、不織布シートを介して模様が明確に目視できるように構成してもよい。このように構成すれば、独特なふんわり感のある中にくっきりとした模様が現出する。
【００１０】
また、上記の構成に加え、内袋及び外袋の各底部に襠を有する構成としてもよい。このように構成すれば、包装袋の内容量が増え、底部に溶着部が存在しないので、底が抜ける心配がない。
【００１１】
さらに、上記の構成に加え、開口部より幾分下がった位置に、所定間隔をあけて幅方向に２本平行に配され、かつ、内袋の外面と外袋の内面とを接着してなる接着線と、２本の接着線の間における両側部の一部を欠落させてなる側部開口部とからなり、２本の接着線の間における表裏の内袋と外袋との各隙間をそれぞれ紐挿通路とする紐挿通部が形成されてなる構成としてもよく、さらに、紐挿通部において、一方の側部開口部から表側の紐挿通路を経て他方の側部開口部にて折返し、裏側の紐挿通路を経て前記一方の側部開口部の外部に達する第１紐と、前記他方の側部開口部から表側の紐挿通路を経て前記一方の側部開口部にて折返し、裏側の紐挿通路を経て前記他方の側部開口部の外部に達する第２紐とを有する構成としてもよい。このように構成すれば、簡単に紐付きの包装袋が完成する。
【考案の効果】
【００１２】
上記のように構成した本考案に係る不織布を使用した二重袋型包装袋は、内袋の模様が外袋を介して目視できる雅趣に富んだ、従来にないデザインを施した付加価値の高いものである。
【考案を実施するための最良の形態】
【００１３】
以下に、本考案に係る不織布を使用した二重袋型包装袋（以下、単に「包装袋」という。）の好適な実施例を添付の図面に基づいて詳細に説明する。
【実施例】
【００１４】
図１は本考案の実施例に係る包装袋の一部切欠斜視図であり、図２は図１において、本考案の実施例に係る包装袋の紐を挿通していない状態におけるＩＩ−ＩＩ線断面図であり、図３は図１において、本考案の実施例に係る包装袋の紐を挿通していない状態におけるＩＩＩ-ＩＩＩ線断面図であり、図４は図１におけるＩＶ-ＩＶ線断面図であり、図５は図１におけるＶ-Ｖ線断面図であり、図６は図３の部分拡大断面図であり、図７は本考案の実施例に係る包装袋の紐挿通部における第１紐の挿通状態を示す概略断面図であり、図８は本考案の実施例に係る包装袋の紐挿通部における第１紐と第２紐との挿通状態を示す概略断面図である。
【００１５】
図１において、Ａは本実施例に係る包装袋であり、該包装袋Ａは、内袋１０及び外袋１５とからなる二重袋である。内袋１０は、図６に示すように、厚さ３０μｍのポリプロピレンフィルムよりなる外層１０ａと、その内面側に模様を表示した模様層１０ｂと、該模様層１０ｂを挟むようにしてポリエチレンフィルムをラミネートした内層１０ｃとから構成される模様シートにより構成される。一方、外袋１５は、ポリプロピレン製で光透過性の厚さ１５ｇ／ｍ２の不織布よりなる不織布シートにより構成される。
【００１６】
該包装袋Ａは、図２に示されるように、上部１が開放した開口部１ａを有し、底部２は閉塞されていて、内方に二つ折りの襠部２ａが形成されている。また、該包装袋Ａは、図３〜図５に示すように、左側部３及び右側部４が、それぞれ内袋１０の模様シート端部を外袋１５の不織布シート端部により挟み込んだ状態で重ね合わせて超音波溶着により溶着されて左側部側溶着部３ａ及び右側部側溶着部４ａを形成することにより閉塞されている。すなわち、外袋１５の不織布シートを形成するポリプロピレンと内袋１０における模様シートの外層１０ａを形成するポリプロピレンフィルムとが溶着し、内袋１０における模様シートの内層１０ｃを形成するポリエチレンフィルム同士が溶着することにより、左側部側溶着部３ａ及び右側部側溶着部４ａが形成され、左側部３及び右側部４が閉塞される。
【００１７】
このように、本実施例に係る包装袋Ａは、上方に開口部１ａを有し、両側部３、４が閉塞してなる内袋１０と外袋１５とから構成されており、内袋１０は、ポリプロピレンフィルムの外側表面に模様が配され、その外側からポリエチレンフィルムをラミネートした模様シートにより形成され、外袋１５は、ポリプロピレン製で光透過性の不織布よりなる不織布シートより形成され、内袋１０と外袋１５の両側部３、４がそれぞれの端部を重ね合わして溶着されてなるものである。なお、上記の内袋１０を形成する模様シートとしては、ポリプロピレンフィルムの外側表面に模様が配され、その外側からポリエチレンフィルムをラミネートした模様シートを採用したが、これに代えてポリプロピレンフィルムの内側表面に模様を配し、その内側からポリエチレンフィルムをラミネートした模様シートを採用してもよく、また、これに代えてポリプロピレンフィルムの表裏のいずれか一方に模様が配された模様シートを採用して内袋を形成してもよい。
【００１８】
本実施例における包装袋Ａは、図２に示すように、開口部１ａより幾分下がった位置に、内袋１０の外面と外袋１５の内面とを接着した上部接着線２０及び下部接着線２１の２本の接着線が、所定間隔をあけて幅方向に平行に配されている。また、上部接着線２０及び下部接着線２１の２本の接着線の間における包装袋Ａの左側部３及び右側部４の一部を欠落させて左側部開口部２２及び右側部開口部２３が形成されている。このように構成することにより、２本の接着線２０、２１の間において、包装袋Ａの表側における内袋１０の一部である模様シート部２４ｐと外袋１５の一部である不織布シート部２４ｑとの隙間を表側紐挿通路２４とし、包装袋Ａの裏側における内袋１０の一部である模様シート部２５ｐと外袋１５の一部である不織布シート部２５ｑとの隙間を裏側紐挿通路２５とする紐挿通部２６が形成される。
【００１９】
そして、該紐挿通部２６において、図７に示すように、左側部開口部２２から表側紐挿通路２４を経て右側部開口部２３にて折返し、裏側紐挿通路２５を経て左側部開口部２２の外部に達する第１紐３０が配されている。また、図８に示すように、右側部開口部２３から表側紐挿通路２４を経て左側部開口部２２にて折返し、裏側紐挿通路２５を経て右側部開口部２３の外部に達する第２紐３１とが配されている。このように本実施例に係る包装袋Ａは、紐付き袋の形態をなすものである。
【００２０】
本実施例における包装袋Ａを上記のように構成することにより、内袋１０と外袋１５が１回の溶着作業で両側部３、４が溶着された一体成型の二重袋が完成し、内袋１０を構成する模様シートの模様が光透過性の不織布シートよりなる外袋１５を介して目視できるようになる。しかも、内袋１０を構成するポリプロピレンフィルムにポリエチレンフィルムをラミネートした模様シートにおける光沢があり硬質の模様が外袋１５を構成する不織布シートを介することにより、独特なふんわりとした模様に変化して現出する。また、外袋１５を不織布シートにより構成したことにより、不織布独特の柔らかみのある手触り感がある。また、外袋１５は不織布シートにて構成されていても、内袋１０はポリプロピレンフィルムにポリエチレンフィルムをラミネートしたシートであるから、防水性及び耐水性がある。また、二重袋にて構成しているので、包装袋としての強度が増している。
【００２１】
本実施例においては、外袋１５を構成する不織布の厚みを１５ｇ／ｍ２としたが、これに限られるものではなく、不織布の厚みは１０ｇ／ｍ２〜２５ｇ／ｍ２の範囲であれば、望ましい光透過性が得られ、不織布の厚みが１０ｇ／ｍ２未満であると、薄すぎて強度が低下すると共に内袋の模様が現出しすぎて、独特なふんわり感が低下する。逆に２５ｇ／ｍ２を超えると光透過性が低下するので、内袋の模様が現出しなくなる。
【００２２】
また、本実施例においては、内袋１０を構成するポリプロピレンフィルムの厚みを３０μｍとしたが、これに限られるものではなく、１５μｍ〜５０μｍの範囲であれば、包装袋としての適度の強度が得られる。ポリプロピレンフィルムの厚みが１５μｍ未満であると、包装袋としての強度が低下し、５０μｍを超えるとごわごわした感触となる。
【００２３】
なお、内袋１０を形成する模様シートにおける模様については、どのような模様であっても、不織布シートを介して独特なふんわり感のある模様として現出するが、不織布シートを介して模様が明確に目視できる高彩度の色彩の模様を配すると、独特なふんわり感のある中にくっきりとした模様が現出する。
【００２４】
本実施例においては、内袋１０及び外袋１５の各底部２に襠部２ａを有する構成としており、包装袋Ａの内容量が増えても、底部２に溶着部が存在しないので、底が抜ける心配がない。しかし、底部２に襠部２ａを設けない場合でも、不織布シートを介して独特なふんわり感のある模様として現出する効果は達成できる。
【００２５】
また、本実施例においては、紐付き包装袋の形態をなすものを例示したが、これに限られるものではなく、上部開口の矩形型包装袋、上部に蓋を延設して開閉可能にした封筒型の包装袋でもよく、また、紐付き袋の形態においても、１本のみの紐を挿通してもよく、また、上部開口部１ａの周囲に閉じ紐を設けたものでもよい。
【図面の簡単な説明】
【００２６】
【図１】本考案の実施例に係る包装袋の斜視図である。
【図２】図１において、本考案の実施例に係る包装袋の紐を挿通していない状態におけるＩＩ−ＩＩ線断面図である。
【図３】図１において、本考案の実施例に係る包装袋の紐を挿通していない状態におけるＩＩＩ-ＩＩＩ線断面図である。
【図４】図１におけるＩＶ-ＩＶ線断面図である。
【図５】図１におけるＶ-Ｖ線断面図である。
【図６】図３の部分拡大断面図である。
【図７】本考案の実施例に係る包装袋の紐挿通部における第１紐の挿通状態を示す概略断面図である。
【図８】本考案の実施例に係る包装袋の紐挿通部における第１紐と第２紐との挿通状態を示す概略断面図である。
【符号の説明】
【００２７】
Ａ・・・・包装袋
１・・・・上部
１ａ・・・開口部
２・・・・底部
２ａ・・・襠部
３・・・・左側部
３ａ・・・左側部側溶着部
４・・・・右側部
４ａ・・・右側部側溶着部
１０・・・内袋
１０ａ・・外層
１０ｂ・・模様層
１０ｃ・・内層
１５・・・外袋
２０・・・上部接着線
２１・・・下部接着線
２２・・・左側部開口部
２３・・・右側部開口部
２４ｐ・・模様シート部
２４ｑ・・不織布シート部
２４・・・表側紐挿通路
２５ｐ・・模様シート部
２５ｑ・・不織布シート部
２５・・・裏側紐挿通路
２６・・・紐挿通部
３０・・・第１紐
３１・・・第２紐
【図１】
0003148039.tif 000003
【図２】
0003148039.tif 000004
【図３】
0003148039.tif 000005
【図４】
0003148039.tif 000006
【図５】
0003148039.tif 000007
【図６】
0003148039.tif 000008
【図７】
0003148039.tif 000009
【図８】
0003148039.tif 000010